(57)【要約】【課題】施工性が良好で、作製に手間がかからず、しかも異音の発生を防止することができる可動吊子を提供する。【解決手段】折板２０を係止するための係止部１を有する上側吊子部材２と、上側吊子部材２に連結可能な下側吊子部材３とからなる可動吊子Ａであって、屋根下地２１に固定されるタイトフレーム２２の上部に形成した吊子取付部２９を上側吊子部材２と下側吊子部材３の間に介在させた状態で、吊子取付部２９の厚みよりも大きな間隙を介して上側吊子部材２と下側吊子部材３とを連結可能に形成する。【選択図】図１
2008255648.tif 000002
【特許請求の範囲】
【請求項１】
折板を係止するための係止部を有する上側吊子部材と、上側吊子部材に連結可能な下側吊子部材とからなる吊子であって、屋根下地に固定されるタイトフレームの上部の吊子取付部を上側吊子部材と下側吊子部材の間に介在させた状態で、吊子取付部の厚みよりも大きな間隙を介して上側吊子部材と下側吊子部材とを連結することにより、タイトフレームに対して移動自在に形成して成ることを特徴とする可動吊子。
【請求項２】
吊子取付部にガイド部を設け、このガイド部が挿入可能なガイド溝を下側吊子部材に設けて成ることを特徴とする請求項１に記載の可動吊子。
【請求項３】
請求項１に記載の可動吊子を用いた折板屋根であって、屋根下地に固定されるタイトフレームの上部に吊子取付部を形成し、吊子取付部を上側吊子部材と下側吊子部材の間に介在させた状態で、吊子取付部の厚みよりも大きな間隙を介して上側吊子部材と下側吊子部材とを連結することによって、可動吊子を屋根の傾斜方向においてスライド移動自在にタイトフレームに取り付け、屋根下地に載置される折板を上側吊子部材の係止部で係止して成ることを特徴とする折板屋根。
【請求項４】
請求項２に記載の可動吊子を用いた折板屋根の構造であって、下側吊子部材のガイド溝の長手方向を屋根の傾斜方向と略平行にすると共に吊子取付部に設けたガイド部をガイド溝に挿入した状態で可動吊子をタイトフレームに取り付けて成ることを特徴とする請求項３に記載の折板屋根。
【発明の詳細な説明】
【技術分野】
【０００１】
本発明は、折板をタイトフレームに連結固定するための可動吊子及びこれを用いた折板屋根に関するものである。
【背景技術】
【０００２】
従来より、折板屋根は塗装鋼板等の金属製の折板を吊子でタイトフレームに連結固定して形成している。すなわち、図１２に示すように、母屋などの屋根下地２１の上にタイトフレーム２２を固定し、タイトフレーム２２の頂部に形成した凹段部６０に吊子６１をボルトナットなどの固定具６２で固定し、屋根下地２１に複数の折板２０を載置すると共に折板２０の端部を吊子６１の上端に設けた係止部１に係止し、隣り合う折板２０、２０の端部同士をハゼ折り加工により緊結して接続することによって、吊子６１及びタイトフレーム２２を介して折板２０を屋根下地２１に固定している。
【０００３】
このような折板屋根では、折板２０を吊子６１により完全に拘束して折板２０の伸縮による動きを規制しているため、爆裂音やバックリング音などの異音が生じるという問題があった。すなわち、外気温や太陽の輻射熱、風雨などの外的熱要因により折板２０が熱伸縮して折板２０自体に内部応力が蓄積し、その蓄積された内部応力が剛性の弱い折板２０の斜辺や緊結部分などに集中してズレや変形を生じ、この結果、上記のような異音が生じていた。特に、屋根が傾斜方向（流れ長さ方向）に長い大型の建築物では折板２０の伸縮度合いが大きいため、異音が生じやすかった。
【０００４】
そこで、折板の伸縮による動きを吊子で規制しないようにして異音の発生を防止することが行われている。例えば、特許文献１に記載された発明では、断面逆Ｔ字状のガイド溝を有するサドルを形成し、吊子の下部を断面逆Ｔ字状に形成し、この吊子の下部をガイド溝に嵌め込んで吊子をサドルにスライド移動自在（摺動自在）に取り付け、このサドルをタイトフレームに固定すると共に吊子の係止部に折板を係止することによって、折板を屋根下地に取り付けるようにしている。また、特許文献２に記載された発明では、摺動部材に長孔を形成し、この摺動部材を隣接するタイトフレームの間に挟むと共に長孔を貫通してその長手方向にスライドする軸部材を介して折板の長さ方向に摺動自在に摺動部材を保持し、この摺動部材の吊子を折板を係止することによって、折板を屋根下地に取り付けるようにしている。
【０００５】
上記いずれの場合も、吊子はタイトフレームに対して折板の長さ方向（屋根の傾斜方向）でスライド移動するため、折板の伸縮による動きが規制されず、異音の発生を防止できるのである。
【０００６】
しかし、特許文献１の発明では、サドルを樹脂で形成した場合に樹脂量が多くなり、樹脂成形を行わなければならなくなって、作製に手間がかかるという問題があった。また、特許文献２の発明では、摺動部材を隣接するタイトフレームの隙間に挿入したり、タイトフレームと摺動部材とを交互に取り付けたりしなければならず、施工性が悪く、しかも、摺動部材に長孔を形成しなければならず、作製に手間がかかるという問題があった。
【特許文献１】特許第３０６５９４０号公報
【特許文献２】特許第３６９８５６６号公報
【発明の開示】
【発明が解決しようとする課題】
【０００７】
本発明は上記の点に鑑みてなされたものであり、施工性が良好で、作製に手間がかからず、しかも異音の発生を防止することができる可動吊子及びこれを用いた折板屋根を提供することを目的とするものである。
【課題を解決するための手段】
【０００８】
本発明の請求項１に係る可動吊子Ａは、折板２０を係止するための係止部１を有する上側吊子部材２と、上側吊子部材２に連結可能な下側吊子部材３とからなる吊子であって、屋根下地２１に固定されるタイトフレーム２２の上部の吊子取付部２９を上側吊子部材２と下側吊子部材３の間に介在させた状態で、吊子取付部２９の厚みよりも大きな間隙を介して上側吊子部材２と下側吊子部材３とを連結することにより、タイトフレームに対して移動自在に形成して成ることを特徴とするものである。
【０００９】
本発明の請求項２に係る可動吊子Ａは、請求項１において、吊子取付部２９にガイド部２３を設け、このガイド部２３が挿入可能なガイド溝４を下側吊子部材３に設けて成ることを特徴とするものである。
【００１０】
本発明の請求項３に係る折板屋根は、請求項１に記載の可動吊子Ａを用いた折板屋根の構造であって、屋根下地２１に固定されるタイトフレーム２２の上部に吊子取付部２９を形成し、吊子取付部２９を上側吊子部材２と下側吊子部材３の間に介在させた状態で、吊子取付部２９の厚みよりも大きな間隙を介して上側吊子部材２と下側吊子部材３とを連結することによって、可動吊子Ａを屋根の傾斜方向においてスライド移動自在にタイトフレーム２２に取り付け、屋根下地２１に載置される折板２０を上側吊子部材２の係止部１で係止して成ることを特徴とするものである。
【００１１】
本発明の請求項４に係る折板屋根は、請求項２に記載の可動吊子Ａを用いた折板屋根の構造であって、下側吊子部材３のガイド溝４の長手方向を屋根の傾斜方向と略平行にすると共に吊子取付部２９に設けたガイド部２３をガイド溝４に挿入した状態で可動吊子Ａをタイトフレーム２２に取り付けて成ることを特徴とするものである。
【発明の効果】
【００１２】
請求項１の発明では、上側吊子部材２と下側吊子部材３の間に吊子取付部２９を介在させた状態で、吊子取付部２９の厚みよりも大きな間隙を介して上側吊子部材２と下側吊子部材３とを連結することによって、タイトフレーム２２に対してスライド移動自在に取り付けることができ、係止部１で折板２０を係止しても折板２０の伸縮による動きが規制されず、異音の発生を防止できるものである。また、上側吊子部材２と下側吊子部材３とを連結するだけで、タイトフレーム２２に取り付けることができ、隣接するタイトフレーム２２の隙間に挿入したり、タイトフレーム２２と可動吊子Ａとを交互に取り付けたりする必要がなく施工性が良好となり、しかも、樹脂成形などの工程を伴わず、作製に手間がかからないようにすることができるものである。
【００１３】
請求項２の発明では、ガイド部２３でガイドしながら屋根の傾斜方向と略平行な方向にスライド移動することができ、スライド移動をスムーズに行うことができるものである。
【００１４】
請求項３の発明では、上側吊子部材２と下側吊子部材３の間に吊子取付部２９を介在させた状態で、吊子取付部２９の厚みよりも大きな間隙を介して上側吊子部材２と下側吊子部材３とを連結することによって、タイトフレーム２２に対してスライド移動自在に取り付けることができ、係止部１で折板２０を係止しても折板２０の伸縮による動きが規制されず、異音の発生を防止できるものである。また、上側吊子部材２と下側吊子部材３とを連結するだけで、タイトフレーム２２に取り付けることができ、隣接するタイトフレーム２２の隙間に挿入したり、タイトフレーム２２と可動吊子Ａとを交互に取り付けたりする必要がなく施工性が良好となる。
【００１５】
請求項４の発明では、ガイド部２３でガイドしながら屋根の傾斜方向と略平行な方向にスライド移動することができ、スライド移動をスムーズに行うことができるものである。
【発明を実施するための最良の形態】
【００１６】
以下、本発明を実施するための最良の形態を説明する。
【００１７】
本発明の可動吊子Ａは、上側吊子部材２と下側吊子部材３とを備えて形成されている。
【００１８】
上側吊子部材２は、図２に示すように、補強部材３０と吊子本体３１とを備えて形成されている。補強部材３０は矩形板状の基板３０ａとその両方の長手端部から上側略垂直に突出する補強片３０ｂとで断面略Ｕ字状に形成されるものであって、ステンレス鋼板などの金属板（例えば板厚３．２ｍｍ程度のもの）に折り曲げ加工して形成することができる。吊子本体３１は補強部材３０とほぼ同じ長さに形成されるものであって、ステンレス鋼板などの金属板を折り曲げ加工して形成することができる。この吊子本体３１は、固定片３２と、固定片３２の一方の長手端部から表面側（上側）に向かって略垂直に突設する立ち上げ片３３と、立ち上げ片３３の上端から固定片３２と反対側に向かって突設する係止部１とを備えて形成されている。係止部１は、折板２０と係止可能なように、先端部が下方に向かって折り曲げ加工されて断面略く字状に形成されている。
【００１９】
そして、補強部材３０の下面と吊子本体３１の固定片３２の上面とを接着すると共に一方の補強片３０ｂの外面に立ち上げ片３３を密着させて、補強部材３０と吊子本体３１とを一体化することによって、上側吊子部材２を形成することができる。また、上側吊子部材２の長手方向の両端部には、補強部材３０の底部と吊子本体３１の固定片３２とを上下に貫通するようにして連結孔３４が設けられている。尚、補強部材３０と吊子本体３１とは一体化せずに分離した状態のままであっても良い。
【００２０】
下側吊子部材３は、図３に示すように、上記と同様の補強部材３０と、ボルトなどで形成される固定具３５と、ナットなどのスペーサ用の螺合具３６とを備えて形成されている。補強部材３０の基板３０ａには上下に貫通する孔が形成されており、この孔に下側から固定具３５を差し込むと共に基板３０ａの上側において固定具３５に螺合具３６を螺合することによって、固定具３５及び螺合具３６が補強部材３０に一体に取り付けられている。固定具３５及び螺合具３６は下側吊子部材３の長手方向の両端部に一つずつ設けられている。また、螺合具３６は筒状に形成されていて通常のナットよりも高さ寸法が大きいが、螺合具３６を固定具３５に螺合した状態において、固定具３５の先端部（上部）は螺合具３６よりも上側に突出している。また、下側吊子部材３の補強部材３０には、基板３０ａと両方の補強片３０ｂ、３０ｂで囲まれる空間がガイド溝４として形成されている。従って、ガイド溝４は下側吊子部材３の長手方向と略平行に長く形成されている。
【００２１】
そして、図４（ａ）に示すように、下側吊子部材３の固定具３５の先端部を上側吊子部材２の連結孔３４に下側から差し込むことによって、固定具３５の先端部を上側吊子部材２の補強部材３０の基板３０ａの上側に突出させ、この基板３０ａの上側において固定具３５の先端部にナットなどの連結用の螺合具３７を螺合することによって、図４（ｂ）（ｃ）に示すように、上側吊子部材２と下側吊子部材３とを着脱自在に連結して可動吊子Ａを形成することができる。ここで、上側吊子部材２の基板３０ａと下側吊子部材３の基板３０ａとの間にはスペーサ用の螺合具３６が介在することになり、これにより、所定の間隔（スペーサ用の螺合具３６の高さ寸法）を介して上側吊子部材２と下側吊子部材３とを連結することができる。
【００２２】
本発明の折板屋根は、上記の可動吊子Ａ、タイトフレーム２２、折板２０を備えて形成することができる。
【００２３】
タイトフレーム２２は、図５に示すように、矩形状（帯状）のステンレス鋼板などの金属板を折り曲げ加工して形成されるものであって、複数個の断面略逆Ｕ字状の山部２５と、隣り合う山部２５、２５の間に連設される取付片２７とで構成されている。取付片２７には上下に貫通する取り付け孔４５が形成されている。また、山部２５の幅方向の略中央部には裏面側に突出するリブ部４７が設けられている。さらに、山部２５の頂部（上部）は、略水平な吊子取付部２９と吊子取付部２９よりも上側に突出する突出部２８とを連設して形成されている。
【００２４】
このタイトフレーム２２の吊子取付部２９の下面にはガイド部２３が突設されている。ガイド部２３は下側吊子部材３のガイド溝４の溝幅と同等かやや小さめの幅寸法を有するものであって、ＡＢＳ樹脂などの樹脂成型品を吊子取付部２９に取り付けて形成することができる。図６（ａ）（ｂ）にガイド部２３の取り付け方法の一例を示す。このガイド部２３の上面には筒状の連結部４０が突設されており、ガイド部２３と連結部４０とを貫通するようにして差込孔４１が形成されている。また、ガイド部２３と別部材の固定部材４２をＡＢＳ樹脂などの樹脂成型品で形成する。この固定部材４２の下面には筒状の連結部４３が突設されており、固定部材４２と連結部４３とを貫通するようにして差込孔４４が形成されている。そして、吊子取付部２９に上下に貫通するように装着孔４６を設け、吊子取付部２９を挟んで上下にガイド部２３と固定部材４２とを配置し、ボルト等の固定具４８をガイド部２３の差込孔４１と装着孔４６と固定部材４２の差込孔４４とに挿通すると共にこの固定具４８にナットなどの螺合具４９を螺合することによって、ガイド部２３を吊子取付部２９に取り付けることができる。尚、上記のような固定具４８と螺合具４９とを用いず、嵌合等によりガイド部２３と固定部材４２とを連結して吊子取付部２９に取り付けても良い。
【００２５】
折板２０は塗装鋼板や亜鉛めっき鋼板などの金属板を折り曲げ加工して形成されるものであって、屋根の傾斜方向（流れ方向）に長尺に形成されるものである。また、折板２０は断面略Ｕ字状に形成されており、平板状の谷部５０と、その両側から斜め上方に向かって突出する連結山部５１、５１とを備えて形成されている。一方の連結山部５１の上部は、谷部５０と反対側に向かって突出する頂部片５２と、頂部片５２の端部から上方に向かって突出する断面略逆Ｕ字状の嵌合部５３とから構成されている。また、他方の連結山部５１の上部は、谷部５０と反対側に向かって突出する頂部片５２と、頂部片５２の端部から上方に向かって突出する断面略逆Ｌ字状の被嵌合部５４とから構成されている。そして、隣接する折板２０、２０の連結山部５１、５１同士を嵌合部５３と被嵌合部５４との嵌合により連結することによって、隣接する折板２０、２０を接続することができ、連結された連結山部５１、５１からなる山部５５と谷部５０とが交互に繰り返した折板屋根となる。
【００２６】
そして、本発明の折板屋根は以下のようにして施工して形成することができる。まず、上記のタイトフレーム２２を母屋などの屋根下地２１の上に取り付ける。このとき、タイトフレーム２２の取付片２７を屋根下地２１の上に載せ、取り付け孔４５にボルトなどの固定具を上側から挿通すると共にこの固定具を屋根下地２１にねじ込んで螺着することによって、タイトフレーム２２を屋根下地２１に固定することができる。タイトフレーム２２は屋根下地２１の長手方向に並べて複数個取り付けることができ、これにより、屋根下地２１の長手方向（屋根の傾斜方向と直交する方向）のほぼ全長にわたって複数個の山部２５、２５を並設することができる。
【００２７】
次に、屋根の傾斜方向に並設された複数本の屋根下地２１、２１…の上に折板２０を架設する。この場合、タイトフレーム２２の隣り合う山部２５、２５の間に折板２０の谷部５０が位置し、図８（ａ）に示すように、山部２５の略半分の外面に沿って連結山部５１が位置するようにして、タイトフレーム２２を配置する。このとき、折板２０の一方の頂部片５２は一方の山部２５の突出部２８の上側に位置し、その頂部片５２に設けた被嵌合部５４が突出部２８と吊子取付部２９の境界部分の上方に位置する。また、折板２０の他方の頂部片５２は他方の山部２５の吊子取付部２９の上方に位置する。
【００２８】
次に、上記折板２０の被嵌合部５４側のタイトフレーム２２の吊子取付部２９に本発明の可動吊子Ａを取り付けると共にこの可動吊子Ａの係止部１に被嵌合部５４を係止する。可動吊子Ａを吊子取付部２９に取り付けるにあたっては、上側吊子部材２と下側吊子部材３とを完全に分離した状態で行っても良いが、上側吊子部材２と下側吊子部材３の一端を固定具３５と螺合具３７とで連結した状態で行っても良い。すなわち、図８（ｂ）に示すように、上側吊子部材２と下側吊子部材３の一端を固定具３５と螺合具３７とで連結し、他端を連結していない状態とし、この状態で係止部１を被嵌合部５４に上側から嵌め込んで係止すると共に上側吊子部材２を吊子取付部２９の上面の固定部材４２に載置し、この後、図８（ｃ）に示すように、螺合具３７を螺着した固定具３５を中心として下側吊子部材３を吊子取付部２９の下側に回り込ませるように回動させる。このようにして吊子取付部２９及びガイド部２３と固定部材４２とを上側吊子部材２と下側吊子部材３の間に介在させた状態にし、次に、螺合具３７を螺着していない固定具３５を上側吊子部材２の連結孔３４に下側から差し込み、図８（ｄ）に示すように、この固定具３５の先端部を基板３０ａの上側に突出させて螺合具３７を螺合することによって、上側吊子部材２と下側吊子部材３とを連結する。このようにして、図９に示すように、上側吊子部材２と下側吊子部材３で吊子取付部２９を上下に挟んで可動吊子Ａをタイトフレーム２２に取り付けることができる。
【００２９】
この可動吊子Ａはガイド部２３がガイド溝４に挿入された状態でタイトフレーム２２の吊子取付部２９に取り付けられる。そして、タイトフレーム２２の吊子取付部２９に設けたガイド部２３から固定部材４２までの厚みよりも僅かに大きな間隙を介して上側吊子部材２と下側吊子部材３とを連結することによって、上側吊子部材２と下側吊子部材３とを、吊子取付部２９やガイド部２３や固定部材４２に密着させないようにすることができ、可動吊子Ａをタイトフレーム２２に対して屋根の傾斜方向と略平行にスライド移動自在に取り付けることができる。また、可動吊子Ａ及びガイド溝４は、その長手方向を屋根の傾斜方向と略平行にした状態で吊子取付部２９に取り付け、ガイド部２３がガイド溝４に挿入された状態であるので、可動吊子Ａをガイド部２３でガイドしながら屋根の傾斜方向と略平行にスライド移動することができる。尚、突出部２８も吊子本体３１の側面に当接して可動吊子Ａのスライド移動をガイドするものである。
【００３０】
そして、上記のようにして可動吊子Ａをタイトフレーム２２に取り付け、可動吊子Ａで折板２０をタイトフレーム２２に連結した後、さらに別の折板２０を屋根下地２１に載設する。この場合、新たに載置する別の折板２０は既設した上記折板２０に屋根の傾斜方向と直交する方向において隣接するように配置すると共に、タイトフレーム２２の隣り合う山部２５、２５の間に折板２０の谷部５０が位置し、山部２５の略半分の外面に沿って連結山部５１が位置するように配置する。また、可動吊子Ａを介してタイトフレーム２２に連結した既設の折板２０の被嵌合部５４に、新たに載置する別の折板２０の嵌合部５３を上側から嵌め込んで嵌合し、ハゼ折りなどにより被嵌合部５４と嵌合部５３とを結合することによって、隣り合う折板２０、２０を接続する。この後、さらに、上記と同様にして複数の可動吊子Ａの取り付けと複数の折板２０との取り付けとを交互に行うことによって、図１０に示すような折板屋根を形成することができる。
【００３１】
本発明の折板屋根では、折板２０が屋根の傾斜方向に伸縮した場合に、それに伴って、可動吊子Ａをタイトフレーム２２に対して屋根の傾斜方向（流れ長さ方向）にスライド移動させることができる。従って、折板２０はその伸縮による動きが拘束されないものであり、このため、外気温や太陽の輻射熱、風雨などの外的熱要因により折板２０が熱伸縮しても、折板２０自体に内部応力が蓄積したり、内部応力が剛性の弱い折板２０の斜辺や緊結部分などに集中したりすることがなくなって、ズレや変形が生じにくくなり、この結果、異音の発生を防止することができるものである。また、ガイド部２３として樹脂製部材を用いることにより、可動吊子Ａの滑り性を確保し、且つ上側吊子部材２と下側吊子部材３との熱伝導を少なくして、タイトフレーム２２と折板２０とのヒートブリッジの発生を防止することができるものである。尚、屋根の傾斜方向における長さが１００ｍ程度の大型屋根の場合、折板２０の熱伸縮量は５０〜６０ｍｍ程度となるため、例えば、可動吊子Ａをタイトフレーム２２の片側（水上側と水下側にそれぞれ）に約４５ｍｍずつスライド移動可能とし、可動吊子Ａのスライド移動量を９０ｍｍ程度にして、折板２０の長さ方向の両端部（軒棟端部）を可動吊子Ａでタイトフレーム２２に連結することができる。
【００３２】
図１１には他の実施の形態を示す。この可動吊子Ａは上側吊子部材２の補強部材３０を真っ直ぐな矩形板状（プレート状）に形成したものであり、その他の構成は図１〜１０に示すものと同様である。この平板の補強部材３０は、図２に示す断面略Ｕ字状の補強部材３０から補強片３０ｂを除いたものである。すなわち、断面略Ｕ字状の補強部材３０の基板３０ａに相当する部分のみで図１１の補強部材３０が形成されている。そして、この上側吊子部材２の補強部材３０も固定具３５や螺合具３７を用いて上記と同様に下側吊子部材３と連結される。
【図面の簡単な説明】
【００３３】
【図１】本発明の折板屋根の実施の形態の一例を示し、（ａ）は一部の断面図、（ｂ）は一部の断面図である。
【図２】本発明の可動吊子の上側吊子部材を示す斜視図である。
【図３】同上の下側吊子部材を示す斜視図である。
【図４】同上の可動吊子を示し、（ａ）は分解図、（ｂ）は正面図、（ｃ）は側面図である。
【図５】同上のタイトフレームを示す一部の斜視図である。
【図６】同上のガイド部の取り付けを示し、（ａ）は分解図、（ｂ）は拡大した分解図である。
【図７】同上の折板を示す斜視図である。
【図８】同上の施工手順を示し、（ａ）〜（ｄ）は一部の斜視図である。
【図９】同上のタイトフレームに可動吊子を取り付けた状態を示す一部の斜視図である。
【図１０】同上の折板屋根の一部を示す断面図である。
【図１１】同上の他の実施の形態を示す一部の断面図である。
【図１２】従来例を示す一部の断面図である。
【符号の説明】
【００３４】
Ａ  可動吊子
１  係止部
２  上側吊子部材
３  下側吊子部材
４  ガイド溝
２０  折板
２１  屋根下地
２２  タイトフレーム
２３  ガイド部
２９  吊子取付部
【図１】
2008255648.tif 000003
【図２】
2008255648.tif 000004
【図３】
2008255648.tif 000005
【図４】
2008255648.tif 000006
【図５】
2008255648.tif 000007
【図６】
2008255648.tif 000008
【図７】
2008255648.tif 000009
【図８】
2008255648.tif 000010
【図９】
2008255648.tif 000011
【図１０】
2008255648.tif 000012
【図１１】
2008255648.tif 000013
【図１２】
2008255648.tif 000014